(57)【要約】【課題】天井板や照明器具などを容易に取り付けることができ、また、地震などの強い揺れに対しても接合部の脱落や破損が生じない、システム天井の枠組み構造を提供する。【解決手段】第１天井バー１８の凸部３０が第２天井バー２０の嵌合孔４２に嵌め込まれ、係止プレート２２が係止孔３２に嵌め込まれるので、第１天井バー１８の凸部３０が、第２天井バー２０の嵌合孔４２から離脱する心配はない。また、係止プレート２２が係止孔３２に嵌め込まれた状態で凸部３０が折り曲げられるので、第２天井バー２０の側面から凸部３０が突出することはない。【選択図】　　　図２
2004036140.tif 000002
【特許請求の範囲】
【請求項１】
長手方向先端部に折曲可能な凸部を有する第１天井バーと、前記凸部が嵌め込まれる嵌合孔を有する第２天井バーとを備え、前記凸部を前記嵌合孔に嵌め込むことによって第１天井バーと第２天井バーとをＴ字型に接合したシステム天井の枠組み構造において、
前記凸部に形成された係止孔と、前記係止孔に嵌め込まれた係止プレートとを有し、前記係止孔に前記係止プレートを嵌め込んだ状態で前記凸部を折り曲げるようにしたことを特徴とするシステム天井の枠組み構造。
【発明の詳細な説明】
【０００１】
【産業上の利用分野】
本発明は、縦横に組んだ天井バーの間に天井板や照明装置などが取り付けられるシステム天井の枠組み構造に関するものである。
【０００２】
【従来の技術】
図７に示す従来のシステム天井の枠組み構造（１）は、長手方向先端部に折曲可能な凸部（２ａ）を有する第１天井バー（２）と、この凸部（２ａ）が嵌め込まれる嵌合孔（３ａ）を有する第２天井バー（３）とによって構成されていた。そして、第１天井バー（２）の凸部（２ａ）を第２天井バー（３）の嵌合孔（３ａ）に嵌め込んで、凸部（２ａ）を略９０°折り曲げることによって、第１天井バー（２）と第２天井バー（３）とをＴ字型に接合するようにしていた。
【０００３】
【発明が解決しようとする課題】
従来の枠組み構造（１）において、第１天井バー（２）と第２天井バー（３）との接合部（４）は、第１天井バー（２）の凸部（２ａ）を折り曲げて第２天井バー（３）の側面に係止させただけのものであったため、地震などの強い揺れによって接合部（４）の脱落や破損が生じるおそれがあった。
【０００４】
この問題を解決する一手段として、図８に示すように、第１天井バー（２）と第２天井バー（３）とをワイヤー（５）で緊結する技術が知られているが、この場合には、枠組み構造（６）に、天井板や照明装置などを取り付ける際に、ワイヤー（５）が邪魔になり、これらの取り付けが困難になるという別の問題が生じていた。
【０００５】
それゆえに、本発明の主たる目的は、天井板や照明器具などを容易に取り付けることができ、また、地震などの強い揺れに対しても接合部の脱落や破損が生じない、システム天井の枠組み構造を提供することである。
【０００６】
【課題を解決するための手段】
請求項１記載の発明は、「長手方向先端部に折曲可能な凸部（３０）を有する第１天井バー（１８）と、凸部（３０）が嵌め込まれる嵌合孔（４２）を有する第２天井バー（２０）とを備え、凸部（３０）を嵌合孔（４２）に嵌め込むことによって第１天井バー（１８）と第２天井バー（２０）とをＴ字型に接合したシステム天井の枠組み構造（１０）において、凸部（３０）に形成された係止孔（３２）と、係止孔（３２）に嵌め込まれた係止プレート（２２）とを有し、係止孔（３２）に係止プレート（２２）を嵌め込んだ状態で凸部（３０）を折り曲げるようにしたことを特徴とする」ものである。
【０００７】
本発明のシステム天井の枠組み構造（１０）では、第１天井バー（１８）の凸部（３０）が第２天井バー（２０）の嵌合孔（４２）に嵌め込まれ、係止プレート（２２）が係止孔（３２）に嵌め込まれるので、第１天井バー（１８）の凸部（３０）が、第２天井バー（２０）の嵌合孔（４２）から離脱する心配はない。また、係止プレート（２２）が係止孔（３２）に嵌め込まれた状態で凸部（３０）が折り曲げられるので、第２天井バー（２０）の側面から凸部（３０）が突出することはない。
【０００８】
【発明の効果】
本発明によれば、係止プレートを係止孔に嵌め込んだ状態で凸部を折り曲げるだけで、第１天井バーと第２天井バーとを強固に接合することができ、また、第２天井バーの側面から突出する部分をなくすことができる。したがって、地震などの強い揺れに対しても接合部の脱落や破損を防止することができるとともに、天井板や照明装置などを容易に取り付けることができる。
【０００９】
【発明の実施の形態】
以下、本発明を図示実施例に従って詳述する。
【００１０】
図１および図２に示すシステム天井の枠組み構造（１０）は、図３に示すように、天井板（１２）や照明器具（１４）などを支持するための枠材（１６）のＴ字部分に適用されるものであり、第１天井バー（１８），第２天井バー（２０）および係止プレート（２２）によって構成される。
【００１１】
第１天井バー（１８）は、第２天井バー（２０）と協働して天井板（１２）や照明器具（１４）などを支持する長尺の部材であり、鉄，ステンレスまたはアルミニウム等のような金属材によって形成される。この第１天井バー（１８）の高さ方向中央部には２層構造の本体部（２４）が形成され、上部には、天井スラブなどに取り付けられた吊り金具（図示せず）を接続するための断面四角形状の接続部（２６）が形成され、下部には、天井板（１２）や照明器具（１４）などを支持するための断面略コ字状の支持部（２８）が形成される。
【００１２】
そして、本体（２４）の長手方向先端部には、折曲可能な対向する２つの凸部（３０）が形成される。この凸部（３０）の本体（２４）側には、係止プレート（２２）を嵌め込むための係止孔（３２）が設けられ、係止孔（３２）の内周面には、弾性を有し、本体（２４）側に向けて突出した突出部（３４）が形成される。
【００１３】
第２天井バー（２０）は、第１天井バー（１８）と協働して天井板（１２）や照明器具（１４）などを支持する長尺の部材であり、鉄，ステンレスまたはアルミニウム等のような金属材によって形成される。この第２天井バー（２０）の高さ方向中央部には２層構造の本体部（３６）が形成され、上部には、天井スラブなどに取り付けられた吊り金具を接続するための断面四角形状の接続部（３８）が形成され、下部には、天井板（１２）や照明器具（１４）などを支持するための断面略コ字状の支持部（４０）が形成される。
【００１４】
そして、本体部（３６）の所定の位置には、第１天井バー（１８）の凸部（３０）を嵌め込むための嵌合孔（４２）が設けられる。
【００１５】
係止プレート（２２）は、図４に示すように、板状の本体（４４）と、本体（４４）の重心を跨いで対向するように本体（４４）の表面に設けられた１対の係止凸部（４６ａ）（４６ｂ）とを有する板状部材である。本体（４４）の長手方向の一端（４８）は、係止孔（３２）への挿通が容易となるように角部が曲面で構成される。また、係止凸部（４６ａ）（４６ｂ）は、本体（４４）の重心側から本体（４４）の長手方向端部側へ向けて、その高さが低くなるように傾斜が付けられる。
【００１６】
図５を参照して、本発明のシステム天井の枠組み構造（１０）を組み立てる際には、まず、第２天井バー（２０）の嵌合孔（４２）に第１天井バー（１８）の凸部（３０）を嵌め込み、接合部（５０）を形成する。
【００１７】
次に、第１天井バー（１８）の凸部（３０）の係止孔（３２）に係止プレート（２２）を一端（４８）側から嵌め込んで、係止プレート（２２）の係止凸部（４６ａ）（４６ｂ）の間に係止孔（３２）の突出部（３４）が配置されるように位置決めする。この位置決めの際に、突出部（３４）は、弾性を有するため、係止凸部（４６ａ）の傾斜を乗り越えることができる。係止凸部（４６ａ）の傾斜を乗り越えた突出部（３４）は弾性的に元の状態に復元されるため、係止プレート（２２）を係止孔（３２）から引き抜こうとすると、係止凸部（４６ａ）もしくは（４６ｂ）が突出部（３４）に係止されることとなる。したがって、係止プレート（２２）が係止孔（３２）から抜け落ちるのを防止できる。また、係止プレート（２２）の一端（４８）は、角部が曲面で構成されているので係止孔（３２）への挿通が容易である。
【００１８】
そして、係止孔（３２）に係止プレート（２２）が嵌め込まれた２つの凸部（３０）を、それぞれが離反する方向に略９０°折り曲げる。
【００１９】
この実施例のシステム天井の枠組み構造（１０）によれば、第１天井バー（１８）の凸部（３０）が第２天井バー（２０）の嵌合孔（４２）に嵌め込まれ、係止プレート（２２）が係止孔（３２）に嵌め込まれるので、第１天井バー（１８）の凸部（３０）が、第２天井バー（２０）の嵌合孔（４２）から離脱する心配はない。
【００２０】
また、係止プレート（２２）が係止孔（３２）に嵌め込まれた状態で凸部（３０）が折り曲げられるので、第２天井バー（２０）の側面から凸部（３０）が突出することはない。
【００２１】
したがって、地震などの強い揺れに対しても接合部（５０）の脱落や破損を防止することができるとともに、天井板（１２）や照明装置（１６）などを容易に取り付けることができる。
【００２２】
なお、上述の実施例では、第１天井バー（１８）に２つの凸部（３０）が形成された例を示したが、凸部（３０）が折曲可能であり、かつ接合部（５０）を形成できる十分な強度を有するものであれば、凸部（３０）は１つであってもよい。
【００２３】
また、図６に示すように、係止プレートとして、長手方向の一端（５２）の幅（Ｗ１）が係止孔（３２）の高さよりも小さく、他端（５４）の幅（Ｗ２）が係止孔（３２）の高さよりも大きな楔形の本体（５６）と、本体（５６）の幅と係止孔（３２）の高さとが等しい位置よりも一端（５２）側の本体（５６）の表面に設けられた係止凸部（５８）とを備える係止プレート（６０）を用いてもよい。
【図面の簡単な説明】
【図１】本発明の一実施例の枠組み構造を示す斜視図である。
【図２】本発明の一実施例の枠組み構造を示す分解図である。
【図３】本発明の一実施例の枠組み構造を用いたシステム天井を示す上面図である。
【図４】本発明の一実施例の係止プレートを示す拡大斜視図である。
【図５】本発明の一実施例の枠組み構造の組み立て工程を示す説明図である。
【図６】本発明の他の実施例の係止プレートを示す拡大斜視図である。
【図７】従来のシステム天井の枠組み構造を示す斜視図である。
【図８】従来のシステム天井の枠組み構造を示す斜視図である。
【符号の説明】
（１０）…システム天井の枠組み構造
（１２）…天井板
（１４）…照明器具
（１６）…枠材
（１８）…第１天井バー
（２０）…第２天井バー
（２２）…係止プレート
（２４）…（第１天井バーの）本体部
（２６）…（第１天井バーの）接続部
（２８）…（第１天井バーの）支持部
（３０）…凸部
（３２）…係止孔
（３４）…突出部
（３６）…（第２天井バーの）本体部
（３８）…（第２天井バーの）接続部
（４０）…（第２天井バーの）支持部
（４２）…嵌合孔
（４４）…（係止プレートの）本体
（４６ａ）（４６ｂ）…係止凸部
（４８）…（係止プレートの）一端
（５０）…接合部
【図１】
2004036140.tif 000003
【図２】
2004036140.tif 000004
【図３】
2004036140.tif 000005
【図４】
2004036140.tif 000006
【図５】
2004036140.tif 000007
【図６】
2004036140.tif 000008
【図７】
2004036140.tif 000009
【図８】
2004036140.tif 000010